(57)【要約】【課題】マルチコール時において全ての無線アクセスベアラの通信品質を確保するよう、送信電力を制御する。【解決手段】複数の無線アクセスベアラを介して送出された、データ通信の通信品質が良好であるかの測定結果である通信品質情報を受信して１つに集約し、集約した通信品質情報から電力制御指示を行うための通信品質の目標値である品質目標値を算出して、基地局装置に設定されている品質目標値を制御する。【選択図】図１
2010219684.tif 000002
【特許請求の範囲】
【請求項１】
複数の無線アクセスベアラを介して送出された、データ通信の通信品質が良好であるかの測定結果である通信品質情報を受信して１つに集約し、集約した通信品質情報から電力制御指示を行うための通信品質の目標値である品質目標値を算出して、基地局装置に設定されている品質目標値を制御することを特徴とする基地局制御装置。
【請求項２】
複数の通信品質情報送出手段から受け取ったそれぞれの通信品質情報を１つに集約する通信品質情報集約手段と、
集約した通信品質情報に従って前記品質目標値を算出する品質目標値算出手段と、
前記品質目標値算出手段による算出結果に従って、前記基地局装置に設定されている品質目標値を制御する品質目標値更新手段と、を有することを特徴とする請求項１記載の基地局制御装置。
【請求項３】
前記品質目標値更新手段は、前記基地局装置に設定されている品質目標値と、算出した品質目標値と、を比較して閾値を超えている場合に設定されている品質目標値の制御を行うことを特徴とする請求項１又は２記載の基地局制御装置。
【請求項４】
電力制御指示に従って電力制御を行い通信する移動端末装置と、前記移動端末装置と無線を介して通信品質の目標値である品質目標値に応じて前記電力制御指示を行う基地局装置と、前記品質目標値を制御する基地局制御装置と、を備えることを特徴とする移動通信システムであって、
前記基地局装置は、
前記移動端末装置との通信品質を測定して、前記通信品質が前記品質目標値に近づくように、前記移動端末装置に前記電力制御指示を行い、
前記基地局制御装置は、
前記基地局装置により複数の無線アクセスベアラを介して送出された前記移動端末装置との通信品質情報を受信して１つに集約し、集約した通信品質情報から前記品質目標値を算出して、前記基地局装置に設定されている品質目標値を制御することを特徴とする移動通信システム。
【請求項５】
前記基地局装置は、
前記移動端末装置のデータを受信して前記通信品質が良好であるかを測定する品質チェック手段と、
前記品質測定の結果を前記通信品質情報として前記基地局制御装置へ送出する複数の通信品質情報送出手段と、を有し、
前記基地局制御装置は、
前記複数の通信品質情報送出手段から受け取ったそれぞれの通信品質情報を１つに集約する通信品質情報集約手段と、
集約した通信品質情報に従って前記品質目標値を算出する品質目標値算出手段と、
前記品質目標値算出手段による算出結果に従って、前記基地局装置に設定されている品質目標値を制御する品質目標値更新手段と、を有することを特徴とする請求項４記載の移動通信システム。
【請求項６】
前記品質目標値更新手段は、前記基地局装置に設定されている品質目標値と、算出した品質目標値と、を比較して閾値を超えている場合に設定されている品質目標値の制御を行うことを特徴とする請求項４又は５記載の移動通信システム。
【請求項７】
複数の無線アクセスベアラを介して送出された、データ通信の通信品質が良好であるかの測定結果である通信品質情報を受信して１つに集約し、集約した通信品質情報から電力制御指示を行うための通信品質の目標値である品質目標値を算出して、基地局装置に設定されている品質目標値を制御することを特徴とする基地局制御方法。
【請求項８】
基地局装置により、移動端末装置との通信品質が良好か否かを測定して、品質測定の結果を通信品質情報として複数の無線アクセスベアラを介して基地局制御装置へ送出し、
前記基地局制御装置により、前記複数の無線アクセスベアラを介して送出された前記移動端末装置との通信品質情報を受信して１つに集約し、集約した通信品質情報から品質目標値を算出して、前記基地局装置に設定されている品質目標値を制御し、
前記基地局装置により、前記通信品質が前記品質目標値に近づくように、前記移動端末装置に電力制御指示を行うことを特徴とする移動通信システムの電力制御方法。
【請求項９】
複数の無線アクセスベアラを介して送出された、データ通信の通信品質が良好であるかの測定結果である通信品質情報を受信して１つに集約し、集約した通信品質情報から電力制御指示を行うための通信品質の目標値である品質目標値を算出して、基地局装置に設定されている品質目標値を制御することをコンピュータに実行させるプログラム。
【請求項１０】
基地局装置により、移動端末装置との通信品質が良好か否かを測定して、品質測定の結果を通信品質情報として複数の無線アクセスベアラを介して基地局制御装置へ送出し、
前記基地局制御装置により、前記複数の無線アクセスベアラを介して送出された前記移動端末装置との通信品質情報を受信して１つに集約し、集約した通信品質情報から品質目標値を算出して、前記基地局装置に設定されている品質目標値を制御し、
前記基地局装置により、前記通信品質が前記品質目標値に近づくように、前記移動端末装置に電力制御指示を行うことをコンピュータに実行させるプログラム。
【発明の詳細な説明】
【技術分野】
【０００１】
本発明は、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の移動通信システムにおいて、移動端末装置（ＵＥ）と基地局装置（Ｎｏｄｅ−Ｂ）との間の無線通信の際の送信電力の制御を行う    に関する。
【背景技術】
【０００２】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムの無線アクセスネットワークは、図５に示すように移動端末装置ＵＥ１０１との無線通信を行う基地局装置Ｎｏｄｅ−Ｂ１０２と、Ｎｏｄｅ−Ｂ１０２を制御する基地局制御装置ＲＮＣ１０３とを有して構成される。
【０００３】
ＷＣＤＭＡシステムにおける無線通信では、遠近問題といった干渉の解決やサービスに応じた品質の確保のために、ＵＥ１０１とＮｏｄｅ−Ｂ１０２の無線区間において送信電力制御を実施し、必要最低限の送信電力を過不足なく受信側で受け取ることができるように送信電力の調整を行う。
【０００４】
送信電力制御の方法は、受信した信号から無線通信品質を測定して結果を目標品質と比較し、比較結果を送信側に反映し、送信電力を調整することで最適な通信品質に近づける。
【０００５】
図５に示すように、送信電力制御には、インナーループ送信電力制御とアウターループ送信電力制御がある。
【０００６】
インナーループ送信電力制御は、Ｎｏｄｅ−Ｂ１０２とＵＥ１０１との無線通信において、上り下りそれぞれにて行われるが、上りの例では、Ｎｏｄｅ−Ｂ１０２にて受信信号から信号対干渉比であるＳＩＲ（Ｓｉｇｎａｌ  ｔｏ  Ｉｎｔｅｒｆｅｒｅｎｃｅ  Ｒａｔｉｏ）を測定（ＳＩＲ測定値１０４）し、Ｎｏｄｅ−Ｂ１０２にて保持しているインナーループＳＩＲ目標値であるＳＩＲ−ＩＬＰＣ値１０５と比較する。
【０００７】
すなわち、電力指示部１１４により、受信信号から測定したＳＩＲ測定値がインナーループＳＩＲ目標値より低い場合には、Ｎｏｄｅ−Ｂ１０２は、送信側であるＵＥ１０１に向けて送信電力を上げる指示を行う。一方、ＳＩＲ測定値がインナーループＳＩＲ目標値より高い場合には、Ｎｏｄｅ−Ｂ１０２は、送信側であるＵＥ１０１に向けて送信電力を下げる指示を行う。
【０００８】
前述の送信電力制御により、Ｎｏｄｅ−Ｂ１０２とＵＥ１０１との干渉問題を解決する。また、下りに関しても同様の処理が行われる。
【０００９】
次に、アウターループ送信電力制御について述べる。ＵＥ１０１からＮｏｄｅ−Ｂ１０２方向である上りリンクアウターループ送信電力制御の場合、通信品質はＳＩＲだけでなく、伝送路のパスの数やＵＥの移動速度なども影響するため、Ｎｏｄｅ−Ｂ１０２のインナーループＳＩＲ目標値を動的に修正する必要があり、ＲＮＣ１０３がＮｏｄｅ−Ｂ１０２のインナーループＳＩＲ目標値を制御する。
【００１０】
ＲＮＣ１０３では、無線品質のデータからアウターループＳＩＲ目標値であるＳＩＲ−ＯＬＰＣ値１０６を算出し、これをインナーループＳＩＲ目標値としてＮｏｄｅ−Ｂ１０２に通知する。
【００１１】
一例として、ＣＲＣ（Ｃｙｃｌｉｃ  Ｒｅｄｕｎｄａｎｃｙ  Ｃｈｅｃｋ）チェック部１０７にて、Ｎｏｄｅ−Ｂ１０２が復調、復号後のブロック単位でのデータのＣＲＣチェックを行い、ＣＲＣチェックの結果をＣＲＣＩ（ＣＲＣ  Ｉｎｄｉｃａｔｏｒ）としてＲＮＣ１０３に送信する。
【００１２】
ＳＩＲ−ＯＬＰＣ値算出部１１１では、Ｎｏｄｅ−Ｂ１０２からのＣＲＣチェック結果が正しくなければ、通信品質が良くないと判断してアウターループＳＩＲ目標値ＳＩＲ−ＯＬＰＣ値１０６を上げ、Ｎｏｄｅ−Ｂ１０２からのＣＲＣチェック結果が正しければ、通信品質は良好であると判断し、アウターループＳＩＲ目標値ＳＩＲ−ＯＬＰＣ値１０６を下げる。
【００１３】
判定部１１２では、前述の動作により更新されたアウターループＳＩＲ目標値と前回Ｎｏｄｅ−Ｂ１０２に提示したインナーループＳＩＲ目標値との差分の絶対値が閾値を越えた場合に、ＲＮＣ１０３がアウターループＳＩＲ目標値を新しいインナーループＳＩＲ目標値として判定し、これを送信部１１３を介してＮｏｄｅ−Ｂ１０２に通知する。
【００１４】
Ｎｏｄｅ−Ｂ１０２は通知を受け、自身のインナーループＳＩＲ目標値の更新を行い、状況変化に応じた最適な送信電力制御をする。
【００１５】
このような技術として、例えば特許文献１には、マルチコール時のＳＩＲ目標値をトランスポートフォーマット指標（ＴＦＩ）により有音または無音になった場合、無線アクセスベアラ（ＲＡＢ）の追加または削除時になった場合においてもアウターループ制御を行う技術について開示されている。
【先行技術文献】
【特許文献】
【００１６】
【特許文献１】特開２００５−１２４０４４号公報
【発明の概要】
【発明が解決しようとする課題】
【００１７】
しかしながら、移動通信システムにおける上りリンクアウターループ送信電力制御において、一つのＵＥに同時に複数の無線アクセスベアラが確立されている状態であるマルチコール時には、アウターループ送信電力制御の監視対象として複数の無線アクセスベアラの内から一つの無線アクセスベアラを選択している。
【００１８】
そのため、監視対象外の無線アクセスベアラの通信品質が通信途中で変動した場合に通信品質を確認できず、通信中の無線アクセスベアラの通信品質を確保できない場合がある。
【００１９】
そこで本発明は、上記問題点に鑑みてなされたもので、マルチコール時において全ての無線アクセスベアラの通信品質を確保するよう、送信電力を制御することを目的とする。
【課題を解決するための手段】
【００２０】
上記課題を解決するため、本発明における基地局制御装置は、複数の無線アクセスベアラを介して送出された、データ通信の通信品質が良好であるかの測定結果である通信品質情報を受信して１つに集約し、集約した通信品質情報から電力制御指示を行うための通信品質の目標値である品質目標値を算出して、基地局装置に設定されている品質目標値を制御することを特徴とする。
【００２１】
また、本発明における移動通信システムは、電力制御指示に従って電力制御を行い通信する移動端末装置と、移動端末装置と無線を介して通信品質の目標値である品質目標値に応じて電力制御指示を行う基地局装置と、品質目標値を制御する基地局制御装置と、を備えることを特徴とする移動通信システムであって、基地局装置は、移動端末装置との通信品質を測定して、通信品質が品質目標値に近づくように、移動端末装置に電力制御指示を行い、基地局制御装置は、基地局装置により複数の無線アクセスベアラを介して送出された移動端末装置との通信品質情報を受信して１つに集約し、集約した通信品質情報から品質目標値を算出して、基地局装置に設定されている品質目標値を制御することを特徴とする。
【００２２】
また、本発明における基地局制御方法は、複数の無線アクセスベアラを介して送出された、データ通信の通信品質が良好であるかの測定結果である通信品質情報を受信して１つに集約し、集約した通信品質情報から電力制御指示を行うための通信品質の目標値である品質目標値を算出して、基地局装置に設定されている品質目標値を制御することを特徴とする。
【００２３】
また、本発明における移動通信システムの電力制御方法は、基地局装置により、移動端末装置との通信品質が良好か否かを測定して、品質測定の結果を通信品質情報として複数の無線アクセスベアラを介して基地局制御装置へ送出し、基地局制御装置により、複数の無線アクセスベアラを介して送出された移動端末装置との通信品質情報を受信して１つに集約し、集約した通信品質情報から品質目標値を算出して、基地局装置に設定されている品質目標値を制御し、基地局装置により、通信品質が品質目標値に近づくように、移動端末装置に電力制御指示を行うことを特徴とする。
【００２４】
また、本発明におけるプログラムは、複数の無線アクセスベアラを介して送出された、データ通信の通信品質が良好であるかの測定結果である通信品質情報を受信して１つに集約し、集約した通信品質情報から電力制御指示を行うための通信品質の目標値である品質目標値を算出して、基地局装置に設定されている品質目標値を制御することをコンピュータに実行させることを特徴とする。
【００２５】
また、本発明におけるプログラムは、基地局装置により、移動端末装置との通信品質が良好か否かを測定して、品質測定の結果を通信品質情報として複数の無線アクセスベアラを介して基地局制御装置へ送出し、基地局制御装置により、複数の無線アクセスベアラを介して送出された移動端末装置との通信品質情報を受信して１つに集約し、集約した通信品質情報から品質目標値を算出して、基地局装置に設定されている品質目標値を制御し、基地局装置により、通信品質が品質目標値に近づくように、移動端末装置に電力制御指示を行うことをコンピュータに実行させることを特徴とする。
【発明の効果】
【００２６】
本発明により、マルチコール時において、各無線アクセスベアラの通信品質が通信途中に変動した場合においても、全ての無線アクセスベアラの通信品質を確保するよう、送信電力を制御することが可能となる。
【図面の簡単な説明】
【００２７】
【図１】本発明の実施形態に係る移動通信システムの構成図である。
【図２】ＲＮＣにおける上りリンクアウターループ送信電力制御のフローチャート図である。
【図３】上りリンクアウターループ送信電力制御の従来との比較図（その１）である。
【図４】上りリンクアウターループ送信電力制御の従来との比較図（その２）である。
【図５】従来技術における移動通信システムの構成図である。
【発明を実施するための形態】
【００２８】
次に、発明を実施するための最良の形態について図面を参照して詳細に説明する。
【００２９】
図１は、本発明の実施形態における移動通信システムの構成図である。なお、ここでは３チャネルのマルチコールの場合について説明する。
【００３０】
本移動通信システムは、ＵＥ１０１と、Ｎｏｄｅ−Ｂ１０２と、ＲＮＣ１０３と、を有して構成される。
【００３１】
Ｎｏｄｅ−Ｂ１０２は、ＣＲＣチェック部１０７と、複数の無線アクセスベアラ（ＲＡＢ−Ａ、ＲＡＢ−Ｂ、ＲＡＢ−Ｃ）１０９−１、１０９−２、１０９−３と、電力指示部１１４と、を有して構成される。
【００３２】
また、上りリンクインナーループ送信電力制御のＳＩＲ目標値となるＳＩＲ−ＩＬＰＣ値１０５の算出は、ＲＮＣ１０３における上りリンクアウターループ送信電力制御部１０８にて実施され、上りリンクアウターループ送信電力制御部１０８は、複数のＣＲＣＩ受信部１１０−１、１１０−２、１１０−３と、ＳＩＲ−ＯＬＰＣ値算出部１１１と、判定部１１２と、送信部１１３と、を有して構成される。
【００３３】
ＣＲＣＩ受信部１１０−１、１１０−２、１１０−３は、Ｎｏｄｅ−Ｂ１０２から送信されたＲＡＢ−Ａ１０９−１、ＲＡＢ−Ｂ１０９−２、ＲＡＢ−Ｃ１０９−３毎のデータ内にあるＣＲＣ検証結果であるＣＲＣＩ情報をそれぞれ抜き出し、上りリンクアウターループ送信電力制御のＳＩＲ目標値となるＳＩＲ−ＯＬＰＣ値１０６を算出するＳＩＲ−ＯＬＰＣ値算出部１１１に送信する。
【００３４】
ＳＩＲ−ＯＬＰＣ値算出部１１１は、ＣＲＣＩ集約部１１５を有する。ＣＲＣＩ集約部１１５は、一つのＵＥ内に確立されているすべてのＣＲＣＩ情報を１つに集約する。ＳＩＲ−ＯＬＰＣ値算出部１１１は、集約した結果をチェックすることで無線区間のデータ通信品質を判定し、ＳＩＲ−ＯＬＰＣ値１０６の増減を行う。
【００３５】
判定部１１２は、ＳＩＲ−ＯＬＰＣ値算出部１１１にて算出されたＳＩＲ−ＯＬＰＣ値１０６をＮｏｄｅ−Ｂ１０２に通知しているＳＩＲ−ＩＬＰＣ値１０５と比較する。その際、ＳＩＲ−ＯＬＰＣ値１０６とＳＩＲ−ＩＬＰＣ値１０５の差分が閾値を超えているかどうか比較し、閾値超えと判定した場合、ＳＩＲ−ＯＬＰＣ値１０６を新しいＳＩＲ−ＩＬＰＣ値１０５として送信部１１３へ更新指示を行い、Ｎｏｄｅ−Ｂ１０２に新しいＳＩＲ−ＩＬＰＣ値１０５を通知する。
【００３６】
これにより、Ｎｏｄｅ−Ｂ１０２はＳＩＲ−ＩＬＰＣ値１０５を更新し、より適したＳＩＲ目標値であるＳＩＲ−ＩＬＰＣ値１０５に近づくようインナーループ送信電力制御を行う。前述の動作により、上りリンクアウターループ送信電力制御を実現する。
【００３７】
以上、詳細に実施例の構成を述べたが、図１の送信部の機能は、背景技術の関連分野においてよく知られており、それ自体は本発明とは直接関係しないため、その詳細な構成は省略する。
【００３８】
図２は、本発明の実施形態におけるマルチコール時の上りリンクアウターループ送信電力制御装置のフローチャート図である。本実施形態における動作について、図１のブロック図と共に説明する。
【００３９】
ＣＲＣＩ受信部１１０−１、１１０−２、１１０−３は、上りデータからＣＲＣＩ情報を抜き出し、ＳＩＲ−ＯＬＰＣ値算出部１１１にＣＲＣＩ情報を伝える。ＳＩＲ−ＯＬＰＣ値算出部１１１は、各無線アクセスベアラからのＣＲＣＩ結果を受信し（ステップ２０１）、これをすべての無線アクセスベアラで集約し、集約したＣＲＣＩ結果の判定を行う（ステップ２０２）。
【００４０】
ＣＲＣＩの結果が正しくなければアウターループＳＩＲ目標値であるＳＩＲ−ＯＬＰＣ値をΔＵＰ分上げ（ステップ２０３）、結果が正しければＳＩＲ−ＯＬＰＣ値をΔＤｏｗｎ分下げる（ステップ２０４）。ＳＩＲ−ＯＬＰＣ値算出部１１１は、ＳＩＲ−ＯＬＰＣ値１０６を変更した後、変更したＳＩＲ−ＯＬＰＣ値１０６を判定部１１２に送付する。
【００４１】
判定部１１２は、Ｎｏｄｅ−Ｂ１０２におけるインナーループＳＩＲ目標値であるＳＩＲ−ＩＬＰＣ値１０５と前述の変更されたＳＩＲ−ＯＬＰＣ値１０６を比較し、閾値超えとなっているかどうかを判定する（ステップ２０５）。閾値超えがなければ、Ｎｏｄｅ−Ｂ１０２への更新通知は不要とする。閾値超えが発生した場合は、前述のＳＩＲ−ＯＬＰＣ値１０６を新しいＳＩＲ−ＩＬＰＣ値１０５として、送信部１１３がＮｏｄｅ−Ｂ１０２に通知する（ステップ２０６）。
【実施例１】
【００４２】
図３は、本発明の実施例における上りリンクアウターループ送信電力制御（ａ）と、従来における上りリンクアウターループ送信電力制御（ｂ）との比較図である。
【００４３】
ここで、ＲＡＢ−Ａの通信品質のグラフはＲＡＢ−Ａの通信品質の状態を示し、ＲＡＢ−Ｂの通信品質のグラフはＲＡＢ−Ｂの通信品質の状態を示し、ＲＡＢ−ＡとＲＡＢ−Ｂを用いた通信品質のグラフは、ＲＡＢ−ＡとＲＡＢ−Ｂを集約した通信品質状態を示し、ＳＩＲ目標値のグラフは、ＳＩＲ−ＯＬＰＣ値とＳＩＲ−ＩＬＰＣ値の変動を示す。
【００４４】
横軸はそれぞれ時間を示し、縦軸は、通信品質を示したグラフにおいては通信品質の状態を示し、ＳＩＲ目標値のグラフにおいてはＳＩＲ−ＯＬＰＣ値とＳＩＲ−ＩＬＰＣ値の値を示す。
【００４５】
まず、図３（ａ）に示す本発明の実施例における上りリンクアウターループ送信電力制御について説明する。
【００４６】
一つのＵＥで同時に２つの無線アクセスベアラ（ＲＡＢ−Ａ、ＲＡＢ−Ｂ）がある状態において、ＲＡＢ−Ａは、通信品質が安定している状態から時刻Ｔ３０１において、通信品質状態が向上（ＣＲＣI正常値のデータが増加）した場合を示す。また、ＲＡＢ−Ｂは、通信品質が安定している状態から、時刻Ｔ３０２において、通信品質が悪化（ＣＲＣＩ異常値のデータが増加）した場合を示す。
【００４７】
前記状態において、ＳＩＲ−ＯＬＰＣ値とＳＩＲ−ＩＬＰＣ値の変動について説明する。時刻Ｔ３０１までにおいて、ＳＩＲ−ＯＬＰＣ値は、ＲＡＢ−ＡとＲＡＢ−Ｂを用いた通信品質状態から算出された値に基づいて、変動する。しかしながら、ＳＩＲ−ＩＬＰＣ値は、ＳＩＲ−ＯＬＰＣ値との比較値において閾値越えがないため、更新しない状態である。
【００４８】
時刻Ｔ３０１以降、ＲＡＢ−Ａの通信品質状態が向上することで、ＲＡＢ−ＡとＲＡＢ−Ｂを集約した通信品質状態も向上することとなり、ＳＩＲ−ＯＬＰＣ値は下降する。その結果、ＳＩＲ−ＩＬＰＣ値は、ＳＩＲ−ＯＬＰＣ値との比較値において閾値超えが発生し、下方修正の更新を行う。
【００４９】
時刻Ｔ３０２以降、ＲＡＢ−Ｂの通信品質状態が悪化することで、ＲＡＢ−ＡとＲＡＢ−Ｂを集約した通信品質状態も向上することとなり、ＳＩＲ−ＯＬＰＣ値は上昇する。その結果、ＳＩＲ−ＩＬＰＣ値は、ＳＩＲ−ＯＬＰＣ値との比較値において閾値超えが発生し、上方修正の更新を行う。その後、ＲＡＢ−Ｂの通信品質が安定し、送信電力制御は、最後に更新されたＳＩＲ−ＩＬＰＣ値に基づいて制御される。
【００５０】
次に、図３（ｂ）を参照して従来技術におけるアウターループ送信電力制御について詳細に説明する。従来技術においては、始めに、ＲＡＢ−ＡとＲＡＢ−ＢのＳＩＲ−ＯＬＰＣ値の比較を行い、より高いＳＩＲ−ＯＬＰＣ値をもつ無線アクセスベアラが、品質監視対象の無線アクセスベアラとして選択される。ここでは、ＲＡＢ−Ａが選択されたとして説明する。つまり、ＳＩＲ−ＯＬＰＣ値は、ＲＡＢ−Ａの通信品質状態に基づいて制御されることになる。
【００５１】
時刻Ｔ３０３まではＲＡＢ−Ａの通信品質状態が安定しているため、ＳＩＲ−ＩＬＰＣ値は更新がない状態である。
【００５２】
時刻Ｔ３０３以降、ＲＡＢ−Ａの通信品質が向上することで、ＳＩＲ−ＯＬＰＣ値は下降する。
【００５３】
一方、時刻Ｔ３０４以降においてＲＡＢ−Ｂの通信品質が悪化する状態となっても、品質監視対象であるＲＡＢ−Ａの通信品質が安定していることから、ＳＩＲ−ＯＬＰＣ値に変動がほとんど無く、ＳＩＲ−ＩＬＰＣ値は更新されない状態となる。
【００５４】
その結果、ＳＩＲ−ＩＬＰＣ値が更新されないため、ＵＥは送信電力を上げることができず、ＲＡＢ−Ｂの通信品質は改善されない状態が続くこととなる。
【実施例２】
【００５５】
図４は、本発明の他の実施例における上りリンクアウターループ送信電力制御（ａ）と、従来における上りリンクアウターループ送信電力制御（ｂ）との比較図である。なお、本図の構成は、図３と同様である。
【００５６】
まず、図４（ａ）に示す本発明の他の実施例における上りリンクアウターループ送信電力制御について説明する。
【００５７】
一つのＵＥで同時に２つの無線アクセスベアラ（ＲＡＢ−Ａ、ＲＡＢ−Ｂ）がある状態において、ＲＡＢ−Ａは、通信品質が安定している状態から、時刻Ｔ４０１より、無通信状態であることを示す。無通信状態とは、ＵＥより上りデータがなくなり、ＣＲＣＩ通知を受信できない状態を示す。
【００５８】
また、ＲＡＢ−Ｂは、通信品質が安定している状態から、時刻Ｔ４０２において、通信品質が向上（ＣＲＣＩ正常値のデータが増加）した場合を示す。
【００５９】
前記状態において、図３（ａ）と同様に、ＳＩＲ−ＯＬＰＣ値とＳＩＲ−ＩＬＰＣ値の遷移について説明する。
【００６０】
時刻Ｔ４０１までにおいて、ＳＩＲ−ＯＬＰＣ値は、ＲＡＢ−ＡとＲＡＢ−Ｂを用いた通信品質状態から算出された値に基づいて変動する。しかしながら、ＳＩＲ−ＩＬＰＣ値は、ＳＩＲ−ＯＬＰＣ値との比較値において閾値超えがないため、更新しない状態である。
【００６１】
時刻Ｔ４０１以降、ＲＡＢ−Ａの通信品質の状態は、無通信となり通信品質が確認できない状態となるが、ＲＡＢ−ＡとＲＡＢ−Ｂを集約した通信品質状態に基づき更新するため、ＲＡＢ−Ｂの通信品質に基づきＳＩＲ−ＯＬＰＣ値が算出される。その結果、ＳＩＲ−ＯＬＰＣ値は変動が少ない値で遷移する。
【００６２】
時刻Ｔ４０２以降、ＲＡＢ−ＡとＲＡＢ−Ｂを集約した通信品質状態が向上することで、ＳＩＲ−ＯＬＰＣ値が下降する。そして、ＳＩＲ−ＩＬＰＣ値は、ＳＩＲ−ＯＬＰＣ値との比較値において閾値超えが発生し、下方修正の更新を行う。その後、通信品質状態が安定することとなる。
【００６３】
次に、図４（ｂ）を参照して図４（ａ）と同状態における従来技術のアウターループ送信電力制御について詳細に説明する。
【００６４】
従来技術においては、図３（ｂ）と同様に、始めに、ＲＡＢ−ＡとＲＡＢ−ＢのＳＩＲ−ＯＬＰＣ値の比較を行い、より高いＳＩＲ−ＯＬＰＣ値をもつ無線アクセスベアラが選択される。ここでは、品質監視対象の無線アクセスベアラとしてＲＡＢ−Ａが選択されると仮定する。
【００６５】
時刻Ｔ４０３までにおいて、ＳＩＲ−ＩＬＰＣ値は、ＲＡＢ−Ａの通信品質状態が安定しているため、更新しない状態である。
【００６６】
一方、時刻Ｔ４０３以降にＲＡＢ−Ａが無通信状態となると、ＳＩＲ−ＯＬＰＣ値は、品質監視対象として選択したＲＡＢ−Ａの通信品質状態が確認できない状態となり、前値保持のままとなる。つまり、ＳＩＲ−ＩＬＰＣ値も更新しない状態となる。
【００６７】
時刻Ｔ４０４で、ＲＡＢ−Ａの無通信が継続されているため、ＲＡＢ−Ｂの通信品質状況が向上しているにも関わらず、ＳＩＲ−ＯＬＰＣ値は、更新されない状態が継続する。その結果、ＲＡＢ−Ｂの通信品質が十分に確保されているにも関わらず、ＳＩＲ−ＩＬＰＣ値が更新されず、ＵＥが必要以上に送信電力を消費している状態となる。
【００６８】
なお、本発明の実施例として、上記では２チャネルのマルチコールが確立された場合について説明をしているが、マルチコール数が３以上においても同様に対応可能である。
【００６９】
本発明によれば、移動通信システムにおける上りリンクアウターループ送信制御装置において、一つのＵＥに同時に複数の無線アクセスベアラが確立されている状態であるマルチコール時に、一つのＵＥ内に確立されているすべての無線アクセスベアラの通信品質通知を１つに集約し、集約した結果をチェックすることにより、各無線アクセスベアラの通信品質が通信途中に変動した場合においても、全ての無線アクセスベアラの通信品質を確保しつつ、送信電力を抑えることが可能となる。
【００７０】
以上、実施の形態を説明したが、特許請求の範囲に定義された本発明の広範囲な趣旨および範囲から逸脱することなく、これら実施の形態や具体例に様々な修正および変更が可能である。
【符号の説明】
【００７１】
１０１    ＵＥ
１０２    Ｎｏｄｅ−Ｂ
１０３    ＲＮＣ
１０４    ＳＩＲ測定値
１０５    ＳＩＲ−ＩＬＰＣ値
１０６    ＳＩＲ−ＯＬＰＣ値
１０７    ＣＲＣチェック
１０８    上りリンクアウターループ送信電力制御部
１０９−１    ＲＡＢ−Ａ
１０９−２    ＲＡＢ−Ｂ
１０９−３    ＲＡＢ−Ｃ
１１０−１、１１０−２、１１０−３    ＣＲＣＩ受信部
１１１    ＳＩＲ−ＯＬＰＣ値算出部
１１２    判定部
１１３    送信部
【図１】
2010219684.tif 000003
【図２】
2010219684.tif 000004
【図３】
2010219684.tif 000005
【図４】
2010219684.tif 000006
【図５】
2010219684.tif 000007